(57)【特許請求の範囲】
【請求項１】
窓ガラスを清掃するための窓拭き用具であって、
グリップと、
該グリップの先端部にほぼ直交して取付けられたスクイジーと、
前記グリップにスペーサを介して前記スクイジーの下方に位置するように並列して取付けられた洗浄液付与体とを備え、
前記スクイジーは、前記グリップに対して所定角度で固定されたブレードホルダと、該ブレードホルダに保持された板状のゴムブレードとを有し、
前記洗浄液付与体は、前記グリップに前記スペーサを介して取付けられたワイパーホルダと、このワイパーホルダの少なくとも下面に着脱可能に装着された洗浄液含浸用の布体とを有し、
前記ゴムブレードの先端よりも、前記ワイパーホルダの先端が、前記グリップの基端側に位置すると共に、前記ワイパーホルダの下面の角度が、前記ゴムブレードの平面に対して先端方向に向けて次第に近づくように傾斜しており、
前記ワイパーホルダの下面に取付けられた布体を窓ガラスのガラス面に面接触させた状態で、前記ゴムブレードの先端はガラス面に接触せず、前記グリップの把持部とガラス面との間に、グリップを握ることが可能な間隙が設けられるように構成されており、
前記ワイパーホルダは、上下壁とそれらの基端側を連結する側壁とで構成され、長さ方向の両端面が開口すると共に、上下壁の先端が互いに近づいて先端にスリット状の開口部が設けられた樹脂部材で構成されており、
前記布体は、長さ方向に沿った一側辺側を前記ワイパーホルダの上下壁で挟まれて保持されると共に、他側辺側が前記スリット状の開口部から突出して、前記ワイパーホルダの下面に面ファスナーを介して固定されていることを特徴とする窓拭き用具。
【請求項２】
前記ワイパーホルダの長さ方向の両端面は、前記グリップの基端側に向けて次第に短くなるように、傾斜してカットされている請求項１記載の窓拭き用具。
【請求項３】
前記ゴムブレードの先端と前記ワイパーホルダの先端との距離が、１０〜３５ｍｍであり、前記ゴムブレードの平面と、前記布体の前記ガラス面に面接触する部分との角度が、２２〜３８°である請求項１又は２記載の窓拭き用具。
【請求項４】
前記スペーサが弾性樹脂材料からなる請求項１〜３のいずれか１つに記載の窓拭き用具。
【発明の詳細な説明】
【技術分野】
【０００１】
本発明は、窓ガラスを清掃するための窓拭き用具に関する。
【背景技術】
【０００２】
窓ガラスの清掃の際には、例えば、次のような複数の窓拭き用具が用いられている。一つは、ガラス洗浄液を含ませるための布体（シャンプーカバーと呼ばれる）を、ホルダを介してグリップ先端に取付けた洗浄具で、もう一つは、ガラス面に付着した洗浄液を拭き取るためのゴムブレードを、ホルダを介してグリップ先端に取付けた拭き取り具である。
【０００３】
実際のガラス清掃の際には、まず、洗浄具の布体に洗浄液を含ませて、布体をガラス面に接触させて、洗浄液をガラス面に塗布する。その後、拭き取り具に持ち替えて、ゴムブレードで洗浄液を拭き取ることで、ガラス清掃を行っている。
【０００４】
上記のように、布体とゴムブレードは別々の用具に取付けられているので、布体若しくはゴムブレードを使う際には、各用具のグリップをその都度持ち替えなければならず、煩雑であった。そこで、布体及びゴムブレードの両者を一体的に取付けた窓拭き用具が考案されている。
【０００５】
下記特許文献１には、ガラス表面を払拭するに適したラバーを先端に有するチャンネル部が中空構造とされ、該中空部に洗浄液タンクが設けられ、この洗浄液タンク内の洗浄液に一端が接触するように取付けられた給水体（「布体」に相当）が設けられた窓拭き用具が記載されている。前記ラバーに対して前記給水体は傾斜して取付けられている。
【０００６】
下記特許文献２には、水平に伸びるチャンネル部と、チャンネル部の基端部中央に垂直に設けられたハンドル部と、チャンネル部の先端部に沿って設けられた平板状のブレード部とを備え、チャンネル部の基端部に沿って棒状のウォッシャー部材（「布体」に相当）が設けられた窓拭き用具が記載されている。前記ウォッシャー部材は、その内部に洗浄管が挿通され、この洗浄管が洗浄液を供給するチューブに接続されている。
【先行技術文献】
【特許文献】
【０００７】
【特許文献１】特開平１１−２９９７０８号公報
【特許文献２】実用新案登録第３１４５５１７号公報
【発明の概要】
【発明が解決しようとする課題】
【０００８】
上記特許文献１の窓拭き用具では、給水体を窓ガラスに接触させて洗浄液を塗り付け、その洗浄液をラバーで拭き取ることによりガラス清掃が行われる。この窓拭き用具は、ラバーと給水体とが同じチャンネルに取付けられているので、それぞれの先端が近接して配置されている。このため、ラバーだけを窓ガラスに接触させたり、給水体だけを窓ガラスに接触させたりするという角度調整が難しく、給水体を用いて洗浄液を塗布する際に、給水体だけでなくラバーの先端も窓ガラスに接触してしまい、軽い操作感を得ることができない。また、給水体を窓ガラスに面接触させようとすると、チャンネル部やグリップが窓ガラスにぶつかってしまうので、給水体の先端だけを窓ガラス面に押し付けることになり、洗浄液を迅速に窓ガラスに塗布することができないという不都合が生じる。
【０００９】
一方、上記特許文献２記載の窓拭き用具でも、ウォッシャー部材を窓ガラスに接触させて洗浄液を塗り付けて、この洗浄液をブレード部で拭き取ることによりガラス清掃が行われる。しかし、上記特許文献２の窓拭き用具では、ウォッシャー部材が、洗浄管の外周に繊維材を取り付けた構造をなすので、ウォッシャー部材の外径が大きく厚くなり、ブレード部だけを窓ガラスに接触させようとすると、ハンドル部を窓ガラスに対してかなり立てた状態にしなければならず、作業者の意図通りにブレード部を動かしにくくなると共に、作業性姿勢の点でも無理が生じ、作業性の点で問題がある。また、ブレード部で洗浄液を拭き取りながら８の字を描くように切り返しながら動かすとき、ブレード部で拭き取った部分にウォッシャー部材が接触して、再び洗浄液が付着してしまう可能性がある。
【００１０】
したがって、本発明の目的は、窓ガラスに洗浄液を塗布する際に、洗浄液を含浸させた布体を面接触させて、軽い操作感で作業性よく塗布することができると共に、スクイジーで洗浄液を拭き取る際には、拭き取った部分に布体が当たって再び洗浄液が付着してしまうのを防止できるようにした窓拭き用具を提供することにある。
【課題を解決するための手段】
【００１１】
上記目的を達成するために、本発明の窓拭き用具は、窓ガラスを清掃するための窓拭き用具であって、
グリップと、
該グリップの先端部にほぼ直交して取付けられたスクイジーと、
前記グリップにスペーサを介して前記スクイジーの下方に位置するように並列して取付けられた洗浄液付与体とを備え、
前記スクイジーは、前記グリップに対して所定角度で固定されたブレードホルダと、該ブレードホルダに保持された板状のゴムブレードとを有し、
前記洗浄液付与体は、前記グリップに前記スペーサを介して取付けられたワイパーホルダと、このワイパーホルダの少なくとも下面に着脱可能に装着された洗浄液含浸用の布体とを有し、
前記ゴムブレードの先端よりも、前記ワイパーホルダの先端が、前記グリップの基端側に位置すると共に、前記ワイパーホルダの下面の角度が、前記ゴムブレードの平面に対して先端方向に向けて次第に近づくように傾斜しており、
前記ワイパーホルダの下面に取付けられた布体を窓ガラスのガラス面に面接触させた状態で、前記ゴムブレードの先端はガラス面に接触せず、前記グリップの把持部とガラス面との間に、グリップを握ることが可能な間隙が設けられるように構成されており、
前記ワイパーホルダは、上下壁とそれらの基端側を連結する側壁とで構成され、長さ方向の両端面が開口すると共に、上下壁の先端が互いに近づいて先端にスリット状の開口部が設けられた樹脂部材で構成されており、
前記布体は、長さ方向に沿った一側辺側を前記ワイパーホルダの上下壁で挟まれて保持されると共に、他側辺側が前記スリット状の開口部から突出して、前記ワイパーホルダの下面に面ファスナーを介して固定されていることを特徴とする。
【００１２】
上記発明によれば、ガラス面を洗浄液付与体で拭くときには、ワイパーホルダの下面に取付けられた、洗浄液を含浸させた布体を、窓ガラスのガラス面に面接触させることができる。その状態で、グリップの把持部とガラス面との間に十分な間隙が設けられているので、グリップをしっかり握ることができ、グリップが窓ガラスに当たってガラスを損傷することもなく、また、ゴムブレードの先端はガラス面に接触しないので、洗浄液付与体だけをガラス面に接触させて軽い抵抗で洗浄液を軽快に塗布することができる。この場合には、従来の洗浄液付与体単独の用具を用いた場合と同様な作業性が得られる。
【００１３】
また、グリップを窓ガラスから離すように少し立てて押し付ければ、スクイジーのゴムブレードの先端だけが窓ガラスに接触するので、窓ガラスに付着した洗浄液を拭き取ることができる。そして、窓拭き用具を、８の字を描きながら切り返すように動かしても、洗浄液付与体の布体がスクイジーで拭き取った部分に接触して再び洗浄液が付着してしまうことを防止できる。この場合には、従来のスクイジー単独の用具を用いた場合と同様な作業性が得られる。
【００１４】
更に、グリップの角度が上記の中間になるようにして窓ガラスに押し付ければ、洗浄液付与体の布体と、スクイジーのゴムブレードとが同時に窓ガラスに接触するので、布体で洗浄液を塗布しつつ、ゴムブレードで洗浄液を拭き取ることもできる。
【００１５】
また、スクイジーに対して洗浄液付与体がある程度ブレることができるので、例えば８の字を描きながら切り返すように拭くときの微妙な角度の変化に柔軟に対応して、窓ガラスに対する密着度を高めることができる。
【００１７】
更に、布体の一側辺側をワイパーホルダの上下壁に挟み込ませ、布体の他側辺側をワイパーホルダの下面に面ファスナーで固定することにより、布体をワイパーホルダに対して容易に着脱することができる。したがって、布体が汚れたときに布体を手軽に取り外して洗浄でき、作業が終わったときに、布体を手軽に取り外してビニール袋等に収容して、周囲を濡らすことなく、次の作業現場に移動することができる。
【００１８】
また、布体は、一側辺側をワイパーホルダの上下壁で挟まれ、他側辺側がワイパーホルダの下面に面ファスナーで固定されているので、例えば高所作業などの際に、布体が外れて落下してしまうことを防止できる。
【００１９】
更に、ワイパーホルダは、長さ方向の両端面が開口しているので、洗浄液に浸漬して補給する際に、布体のワイパーホルダに挟まれた他側辺側に洗浄液が含浸されやすくなっており、他側辺側に含浸された洗浄液が、スリット状の開口部を経て毛管現象により他側辺側に供給されるので、布体の水持ちを良くして、作業性を高めることができる。
【００２０】
本発明の窓拭き用具においては、前記ワイパーホルダの長さ方向の両端面は、前記グリップの基端側に向けて次第に短くなるように、傾斜してカットされていることが好ましい。
【００２１】
これによれば、例えば円弧を描くように窓を拭くとき、ワイパーホルダの基端側の角部が窓枠等にぶつかりにくくなるため、拭き作業が中断したり、窓枠を傷つけたりすることを防止できる。また、上記ワイパーホルダを採用した場合には、ワイパーホルダの両端部において上下壁を開きやすくなるので、スリット内への布体の挿入が容易になり、布体の装着作業がしやすくなる。
【００２２】
本発明の窓拭き用具においては、前記ゴムブレードの先端と前記ワイパーホルダの先端との距離が、１０〜３５ｍｍであり、前記ゴムブレードの平面と、前記布体の前記ガラス面に面接触する部分との角度が、２２〜３８°であることが好ましい。
【００２３】
これによれば、前記３つの状態の切り替えが更にしやすくなると共に、グリップを寝かせて洗浄液付与体の布体だけを窓ガラスに接触させようとするときに、グリップが窓ガラスに接触することをより確実に防止できる。
【００２４】
本発明の窓拭き用具においては、前記スペーサが弾性樹脂材料からなることが好ましい。これによれば、スクイジーに対して洗浄液付与体がより柔軟にブレることができるので、窓ガラスに対する微妙な角度の変化に柔軟に対応して、窓ガラスに対する密着度をより高めることができる。また、洗浄液付与体をガラス面に対して必要以上に強く押し付けたとしても、グリップからの過度の押し付け力を、弾性樹脂材料からなるスペーサによって吸収・分散させて、洗浄液付与体をガラス面に適度な力で押し付けることができる。
【発明の効果】
【００２５】
本発明によれば、ガラス面を洗浄液付与体で拭くとき、ワイパーホルダの下面に取付けられた、洗浄液を含浸させた布体を、窓ガラスのガラス面に面接触させて効率よく拭くことができる。その際、グリップの把持部とガラス面との間に十分な間隙が設けられているので、グリップをしっかり握って、グリップが窓ガラスに当たってガラスを損傷することなく拭くことができる。また、ゴムブレードの先端はガラス面に接触しないので、洗浄液付与体だけをガラス面に接触させて軽い抵抗で洗浄液を軽快に塗布することができる。
【００２６】
また、グリップを窓ガラスから離すように少し立てて押し付ければ、スクイジーのゴムブレードの先端だけが窓ガラスに接触するので、窓ガラスに付着した洗浄液を拭き取ることができる。そして、窓拭き用具を、８の字を描きながら切り返すように動かしても、洗浄液付与体の布体がスクイジーで拭き取った部分に接触して再び洗浄液が付着してしまうことを防止できる。
【００２７】
更に、グリップの角度が上記の中間になるようにして窓ガラスに押し付ければ、洗浄液付与体の布体と、スクイジーのゴムブレードとが同時に窓ガラスに接触するので、布体で洗浄液を塗布しつつ、ゴムブレードで洗浄液を拭き取ることもできる。その際、スクイジーに対して洗浄液付与体がある程度ブレることができるので、例えば８の字を描きながら切り返すように拭くときの微妙な角度の変化に柔軟に対応して、窓ガラスに対する両者の密着度を高めることができる。
【図面の簡単な説明】
【００２８】
【図１】本発明に係る窓拭き用具の一実施形態を示す分解斜視図である。
【図２】同窓拭き用具の斜視図である。
【図３】ワイパーホルダに布体を装着させる際の第１工程を示す説明図である。
【図４】ワイパーホルダに布体を装着させる際の第２工程を示す説明図である。
【図５】ワイパーホルダに布体を装着させる際の第３工程を示す説明図である。
【図６】ワイパーホルダに布体を装着させる際の第４工程を示す説明図である。
【図７】ワイパーホルダに布体が装着された状態の説明図である。
【図８】本発明に係る窓拭き用具の布体だけを、窓ガラスに接触させた状態の側面図である。
【図９】同窓拭き用具のゴムブレードだけを、窓ガラスに接触させた状態の側面図である。
【図１０】同窓拭き用具の布体及びゴムブレードの両者を、窓ガラスに接触させた状態の側面図である。
【図１１】同窓拭き用具を構成するワイパーホルダの下面を説明するための説明図である。
【図１２】同窓拭き用具の平面図である。
【図１３】同窓拭き用具の第１使用状態を示す説明図である。
【図１４】同窓拭き用具の第２使用状態を示す説明図である。
【発明を実施するための形態】
【００２９】
以下、図１〜１４を参照して、本発明に係る窓拭き用具の一実施形態について説明する。
【００３０】
図１及び図２に示すように、この窓拭き用具１０は、グリップ２０と、該グリップ２０の先端部２４にほぼ直交して取付けられたスクイジー３０と、前記グリップ２０にスペーサ４０を介して前記スクイジー３０の下方に位置するように並列して取付けられた洗浄液付与体５０とを備えている。
【００３１】
図１に示すように、この実施形態におけるグリップ２０は、手で把持可能で、かつ、丸棒等の柄を差し込み可能な円筒状の把持部２２を有していると共に、先端側が幅広に形成された扁平な先端部２４を有している。この先端部２４の下面には、前記スクイジー３０を挟み込むための押え板２６が配設されている。
【００３２】
図１に示すように、スクイジー３０は、前記グリップ２０に対して所定角度で固定されたブレードホルダ３２と、該ブレードホルダ３２に保持された板状のゴムブレード３４とを有している。図８を併せて参照すると、ブレードホルダ３２は、所定長さで伸び両端が開口した筒状をなすと共に、スリット状開口部を有する保持筒３２ａと、この保持筒３２ａのスリット状開口部周縁から外方に延出した押え片３２ｂ，３２ｂとを有している。一方、ゴムブレード３４は所定長さで伸びる長板状をなし、基端部３４ａが円柱状に拡径した形状となっている。そして、前記保持筒３２ａに基端部３４ａを嵌入し、スリット状開口部からゴムブレード３４を挿出させて、押え片３２ｂ，３２ｂで挟み込ませることにより、ブレードホルダ３２にゴムブレード３４が保持されている（図２及び図８参照）。
【００３３】
図１に示すように、洗浄液付与体５０は、前記グリップ２０にスペーサ４０を介して取付けられた所定長さで伸びる枠状のワイパーホルダ５１と、このワイパーホルダ５１の少なくとも下面に着脱可能に装着された洗浄液含浸用の布体６０とを有している。
【００３４】
スペーサ４０は、好ましくは、ウレタンゴムや、シリコーンゴム、フッ素ゴムなどのゴムや、その他のエラストマー等の弾性樹脂材料からなり、前記ワイパーホルダ５１の長さ方向中間に配置されるもので、所定厚さの板状をなしている。図１、図２及び図８に示すように、この実施形態のスペーサ４０は、グリップ２０の基部側に向けて次第に厚くなるように傾斜した形状となっている。なお、図８に示すように、下面４１に対する上面４３の角度θ１は５〜２５°が好ましく、７〜１５°がより好ましい。
【００３５】
布体６０は、この実施形態の場合、綿やポリエステル等の繊維を複数捩り合わせてなる繊維束が、帯状の布体に複数植毛された形状をなっている。また、図３に示すように、布体６０の長さ方向両端面の両角部は、ワイパーホルダ５１の形状に対応して所定角度で面取りされた形状をなしている。更に、布体６０の裏面側の上半部には、所定長さの面ファスナー６２が縫着されている。
【００３６】
図１、図２及び図８を参照すると、所定長さで伸びる枠状のワイパーホルダ５１は、長板状の上壁５２及び下壁５３と、両壁５２，５３の基端側を連結する長板状の側壁５４とで構成され、長さ方向の両端面が開口した形状をなしている。また、上下壁５２，５３の基部５２ａ，５３ａどうしが互いに平行とされ、一方、上下壁５２，５３の先端部５２ｂ，５３ｂどうしが、互いに近づくように前記基部５２ａ，５３ａに対して折曲されており、ワイパーホルダ５１先端にスリット状の開口部５５（図８参照）が設けられている。なお、このワイパーホルダ５１は、ポリ塩化ビニル（ＰＶＣ）、ポリエチレン（ＰＥ）、ポリプロピレン（ＰＰ）、ポリカーボネート（ＰＣ）等の樹脂部材から形成されている。更に、前記下壁５３の下面には、面ファスナー５８が固着されている。
【００３７】
図１〜３に示すように、ワイパーホルダ５１の長さ方向両端面は、前記グリップ２０の基端側に向けて次第に短くなるように、傾斜してカットされた構造となっている。具体的には図１２に示すように、ワイパーホルダ５１の長さ方向両端面に、ワイパーホルダ５１の先端面Ｆに対してθ２の角度で傾斜した第１傾斜部５６と、同先端面Ｆに対してθ３の角度で傾斜した第２傾斜部５７とを有している。ワイパーホルダ５１の先端面Ｆに対する第１傾斜部５６の角度θ２は２０〜４０°が好ましく、２５〜３５°がより好ましい。また、ワイパーホルダ５１の先端面Ｆに対する第２傾斜部５７の角度θ３は３０〜６０°が好ましく、４５〜５５°がより好ましい。なお、ワイパーホルダ５１の長さ方向両端面を１つの直線状の傾斜部としてもよく、曲線状の傾斜部としてもよい。
【００３８】
そして、ワイパーホルダ５１の上下壁５２，５３の間に、ボルト７０の頭部７０ａが挿入され、その軸部７０ｂが、上壁５２の孔５２ｃ、スペーサ４０の孔４４、複数のワッシャ７２、ナット７６、押え板２６の孔２６ａ、グリップ２０の先端部２４の孔２４ａにそれぞれ挿通されると共に、軸部７０ｂの先端に袋ナット７８を螺着されている（図１及び図２参照）。これにより、ボルト７０の頭部７０ａが上壁５２の孔５２ｃの裏側周縁に係合すると共に、袋ナット７８がグリップ２０の孔２４ａの表側周縁に係合して、スクイジー３０がグリップ２０の先端部２４及び押え板２６で挟み込まれて保持されると共に、グリップ２０にスペーサ４０を介してスクイジー３０の下方に位置するようにワイパーホルダ５１が取付けられるようになっている（図８参照）。
【００３９】
上記のようにスペーサ４０を介してグリップ２０にワイパーホルダ５１が取付けられた状態で、図８に示すように、ゴムブレード３４の先端３４ｂよりも、ワイパーホルダ５１の下壁５３の先端部５３ｂが、グリップ２０の基端側に位置すると共に、ワイパーホルダ５１の下面Ｋ（下壁５３の基部５３ａの下面）の角度が、ゴムブレード３４の平面Ｈに対して先端方向に向けて次第に近づくように傾斜している。
【００４０】
そして、図８に示すように、ゴムブレード３４の平面Ｈと、布体６０のガラス面３に面接触する部分Ｓとの角度θ４は２２〜３８°であることが好ましく、２７〜３５°であることがより好ましい。また、図８に示すように、ゴムブレード３４の先端３４ｂと、前記ワイパーホルダ５１の先端部５３ｂとの距離Ｗは１０〜３５ｍｍであることが好ましく、１８〜２８ｍｍであることがより好ましい。
【００４１】
そして、ワイパーホルダ５１の下面Ｋ（下壁５３の基部５３ａの下面）に取付けられた布体６０を、窓ガラス１のガラス面３に押し付けて、布体６０を面接触させた状態で、ゴムブレード３４の先端３４ｂはガラス面３に接触せず、グリップ２０の把持部２２とガラス面３との間に、グリップ２０を握ることが可能な間隙が設けられるように構成されている（図８参照）。このときのガラス面３とグリップ２２の基部端面との間隙Ｇは、１．０〜３．０ｃｍであることが好ましく、１．３〜２．５ｃｍであることがより好ましい。
【００４２】
なお、この実施形態でのワイパーホルダ５１は、下壁５３の基部５３ａの平坦な下面を有しているが、図１１に示すように、ワイパーホルダ５１の下壁５３が曲面状をなした形態のものであってもよい。このように、ワイパーホルダ５１の下壁５３が曲面状をなしている場合には、ワイパーホルダ５１のほぼ全幅に亘って布体６０がガラス面に面接触した状態で、ガラス面３に最も近い箇所における接線となる面を下面Ｋとする。
【００４３】
次に、上記構成からなる本発明に係る窓拭き用具１０の使用方法及び作用効果について説明する。
【００４４】
まず、ワイパーホルダ５１に布体６０を取付ける方法について、図３〜７を参照して説明する。始めにワイパーホルダ５１の長さ方向一側の開口に、布体６０の下半部の長さ方向一側部を挿入する（図３参照）。この際、上壁５２及び下壁５３をやや開いて、ワイパ−ホルダ５１の長さ方向一側の開口及びスリット状の開口部５５を広げた状態にして、布体６０の一側部を挿入する。このとき、この実施形態では、ワイパーホルダ５１の長さ方向一端面に、グリップ２０の基端部に向けて次第に短くなるように、第１傾斜部５６及び第２傾斜部５７が形成され、上下壁５２，５３の長さ方向一側部が比較的柔軟となっているので、上下壁５２，５３を開きやすくなり、布体６０の一側部をワイパーホルダ５１の内部に容易に挿入することができ、布体６０の装着作業をスムーズに行うことができる。
【００４５】
上記のように、布体６０の一側部をワイパーホルダ５１内に挿入し、上下壁５２，５３で挟み込まれた状態で、図４に示すように布体６０をスライドさせて、図５に示すように、ワイパーホルダ５１の長さ方向両側部と布体６０の長さ方向両側部とを揃える。
【００４６】
上記状態で、図６に示すように、面ファスナー６２が縫着された布体６０の上半部を、ワイパーホルダ５１の面ファスナー５８に向けて折り返して（図６矢印参照）、両面ファスナー６２，５８どうしを固着させることにより、図２、図７及び図８に示すように、ワイパーホルダ５１に布体６０を装着することができる。なお、図８に示すように、布体６０のスリット状の開口部５５に位置する部分は、上下壁５２，５３の互いに狭まった先端部５２ｂ，５３ｂで挟み込まれて押し潰されているので、一側辺側の上半部（面ファスナー５８が縫着された部分）及び他側辺側の下半部の厚さよりも薄肉となっている。
【００４７】
また、布体６０をワイパーホルダ５１から取外したい場合には、布体６０の上半部を、ワイパーホルダ５１から引き剥がした後、スリット状の開口部５５から布体６０の下半部を抜き出すことにより、布体６０を取外すことができる。
【００４８】
すなわち、この実施形態では、布体６０の下半部をワイパーホルダ５１の上下壁５２，５３に挟み込ませると共に、布体６０の上半部をワイパーホルダ５１の下面Ｋに面ファスナー６２，５８で固定することで、布体６０をワイパーホルダ５１に対して取付けることができると共に、布体６０の上半部をワイパーホルダ５１の下面から引き剥がして、布体６０の下半部をワイパーホルダ５１内から抜き出すことで、ワイパーホルダ５１に対して布体６０を容易に着脱することができる。
【００４９】
その結果、例えば、布体６０が汚れたときには、布体６０を手軽に取り外して洗浄することができる。また、作業が終わったときに、布体６０を取り外して、必要に応じて絞って水切りし、ビニール袋等に収容することで、布体６０が濡れた状態でも、周囲を濡らすことなく、次の作業現場に移動することができる。
【００５０】
また、布体６０は、その下半部がワイパーホルダ５１の上下壁５２，５３で挟まれていると共に、上半部がワイパーホルダ５１の下面Ｋに面ファスナー６２，５８で固定されていて、布体６０の下半部及び上半部の両方が保持されているので、例えば、高所作業などの際に、布体６０が外れて落下してしまうことをより確実に防止することができる。
【００５１】
そして、窓拭き用具１０を用いて窓ガラス１を清掃するには、例えば、次のように行うことができる。すなわち、バケツ等に充填された洗浄液に布体６０をつけて、洗浄液を布体６０に含浸させた後、グリップ２０の把持部２２を把持して、窓ガラス１のガラス面３に布体６０を接触させて適宜拭くことで、洗浄液をガラス面３に塗布する。
【００５２】
このとき、この窓拭き用具１０では、図８に示すように、ワイパーホルダ５１の下面Ｋ（下壁５３の基部５３ａの下面）をガラス面３に押し付けることによって、布体６０を窓ガラス１のガラス面３に面接触させることができるので、洗浄液をガラス面３に効率よく塗布することができる。
【００５３】
また、この状態で、ゴムブレード３４の先端３４ｂがガラス面３に接触せず、グリップ２０の把持部２２とガラス面３との間に十分な間隙が設けられているので、グリップ２０をしっかりと握ることができ、グリップ２０がガラス面３に当たって窓ガラスを損傷することを防止することができる。
【００５４】
更に、ゴムブレード３４の先端３４ｂは、ガラス面３に接触しないので、洗浄液付与体５０の布体６０だけをガラス面３に接触させることができ、軽い抵抗で洗浄液をガラス面３に軽快に塗布することができる。このように、従来の布体単独の用具を用いた場合と、同様な作業性を得ることができる。
【００５５】
更に、ワイパーホルダ５１は長さ方向の両端面が開口しているので、布体６０を洗浄液に浸漬して補給する際に、布体６０のワイパーホルダ５１の上下壁５２，５３に挟まれた他側辺側の上半部に洗浄液を含浸させやすくすることができる。それと共に、布体６０の開口部５５に位置する部分が、上下壁５２，５３の先端部５２ｂ，５３ｂで押し潰されて薄肉とされているので、布体６０の上半部に浸漬した洗浄液が、毛管現象により他側辺側の下半部にスムーズに供給されることととなり、布体６０の水持ちを良くして、作業性を高めることができる。
【００５６】
また、洗浄液の塗布工程では、例えば、円弧を描きながら拭いたり、８の字を描きながら切り返すように拭いたりすることで、ガラス面３に洗浄液を塗布することが行われている（図１３及び図１４参照）。このとき、この窓拭き用具１０では、ワイパーホルダ５１の長さ方向両端面が、グリップ２０の基端側に向けて次第に短くなるように、傾斜してカットされた構造となっているので、ワイパーホルダ５１の角部が窓枠等にぶつかったりして、作業が中断されたり、窓枠を傷つけたりすることを防止できる。
【００５７】
そして、上記のように布体６０を用いてガラス面３に洗浄液を塗布したら、今度はスクイジー３０を用いて洗浄液の拭き取り作業を行う。このとき、この窓拭き用具１０では、図９に示すように、グリップ２０を窓ガラス１から離すように少し立てて押し付けることで、スクイジー３０のゴムブレード３４の先端３４ｂを、窓ガラス１のガラス面３に接触ささせることができるので、前述した布体６０と同様に、例えば、円弧を描きながら拭いたり、８の字を描きながら切り返すように拭いたりすることで、窓ガラス１に付着した洗浄液を拭き取ることができる（図１３及び図１４参照）。
【００５８】
また、この窓具き用具１０では、ガラス面３に布体６０を接触させずに、ゴムブレード３４の先端３４ｂのみを接触させることができるので、軽い抵抗でガラス面３から洗浄液をスムーズに拭き取ることができる。また、上述のように、円弧を描きながら拭いたり、８の字を描きながら切り返すように動かしたりしても、一旦、ゴムブレード３４で拭き取った部分に、布体６０が接触して再び洗浄液が付着してしまうことを防止することができ、清掃作業が二度手間となることがない。このように、従来のスクイジー単独の用具を用いた場合と同様な作業性が得られる。
【００５９】
以上のように、この窓拭き用具１０では、ガラス面３に布体６０だけを接触させた状態と（図８参照）、ガラス面３にゴムブレード３４の先端３４ｂだけを接触した状態と（図９参照）に、窓拭き用具１０の姿勢を変化することができるが、図１０に示すように、ワイパーホルダ５１の下壁５３の先端部５３ｂをガラス面３に押し付けることにより、グリップ２０の角度を図８の状態及び図９の状態の中間になるようにして、布体６０とゴムブレード３４の先端３４ｂとが、窓ガラス１のガラス面３に同時に接触させるようにすることもできる。これによって、ガラス面３に布体６０で洗浄液を塗布しつつ、ガラス面３からゴムブレード３４で洗浄液を拭き取ることもできる。この場合、窓ガラス清掃に不慣れでも、比較的簡単に作業を行うことができる。
【００６０】
また、この窓拭き用具１０では、グリップ２０にスペーサ４０を介して、スクイジー３０の下方に位置するように並列して洗浄液付与体５０が取付けられていることから（図８参照）、スクイジー３０に対して洗浄液付与体５０がある程度ブレることができるようになっている。すなわち、グリップ２０の把持部２２を把持して、布体６０をガラス面３に押し付けて面接触させる際に、その力加減や操作によって、グリップ２０に対してワイパーホルダ５１をある程度揺れ動かすことができるので、上記のような、円弧を描きながら拭いたり、８の字を描きながら切り返すように拭いたりするときの、微妙な角度の変化に柔軟に対応して、ガラス面３に対してスクイジー３０のゴムブレード３４と、洗浄液付与体５０の布体６０とを同時にガラス面に接触させた状態を維持することができる。
【００６１】
特にこの実施形態では、前記スペーサ４０がゴム等の弾性樹脂材料からなるので、スクイジー３０に対して洗浄液付与体５０がより柔軟にブレることができるので、ガラス面３に対する密着度を更に高めることができ、清掃効率を一層向上させることができる。また、洗浄液付与体５０をガラス面３に対して必要以上に強く押し付けたとしても、グリップ２０からの過度の押し付け力を、弾性樹脂材料からなるスペーサ４０によって吸収・分散させて、洗浄液付与体５０の布体６０をガラス面３に適度な力で押し付けることができ、軽い操作感と作業性とを両立させることができる。
【００６２】
このように、この窓拭き用具１０では、ガラス面３に布体６０だけを接触した状態（図８参照）、ガラス面３にゴムブレード３４の先端３４ｂだけを接触した状態（図９参照）、ガラス面３に布体６０及びゴムブレード３４の先端３４ｂの両者を接触した状態（図１０参照）の３つの状態に切り分けて使用することができるようになっている。
【００６３】
そして、この実施形態では、図８に示すように、ゴムブレード３４の先端３４ｂと、前記ワイパーホルダ５１の先端部５３ｂとの距離Ｗは１０〜３５ｍｍで、ゴムブレード３４の平面Ｈと、布体６０のガラス面３に面接触する部分Ｓとの角度θ４は２２〜３８°としたので、前記３つの状態の切り替えが更にしやすくなると共に、グリップ２０を寝かせて布体６０だけを窓ガラス１のガラス面３に接触させようとするときに、グリップ２０が窓ガラス１に接触することをより確実に防止でき、窓ガラス１を更に損傷させにくくすることができる。
【００６４】
このとき、ガラス面３とグリップ２２の基部端面との間隙Ｇ（図８参照）が、１．０〜３．０ｃｍ離れるように設定されているので、ガラス面３に当たることなくグリップ２２を無理なく握ることができるので、上記角度θ４を所定角度に保持しやすくなり、作業性を向上させることができる。
【符号の説明】
【００６５】
１  窓ガラス
３  ガラス面
１０  窓拭き用具
２０  グリップ
２２  把持部
２４  先端部
２４ａ  孔
２６  押え板
３０  スクイジー
３２  ブレードホルダ
３２ａ  保持筒
３２ｂ，３２ｂ  押え片
３４  ゴムブレード
３４ａ  基端部
３４ｂ  先端
４０  スペーサ
４１  下面
４３  上面
４４  孔
５０  洗浄液付与体
５１  ワイパーホルダ
５２  上壁
５２ａ  基部
５２ｂ  先端部
５２ｃ  孔
５３  下壁
５３ａ  基部
５３ｂ  先端部
５４  側壁
５５  開口部
５６  第１傾斜部
５７  第２傾斜部
５８  面ファスナー
６０  布体
６２  面ファスナー
７０  ボルト
７０ａ  頭部
７０ｂ  軸部
７２  ワッシャ
７６  ナット
７８  袋ナット
【図１】
0005124626.tif 000002
【図２】
0005124626.tif 000003
【図３】
0005124626.tif 000004
【図４】
0005124626.tif 000005
【図５】
0005124626.tif 000006
【図６】
0005124626.tif 000007
【図７】
0005124626.tif 000008
【図８】
0005124626.tif 000009
【図９】
0005124626.tif 000010
【図１０】
0005124626.tif 000011
【図１１】
0005124626.tif 000012
【図１２】
0005124626.tif 000013
【図１３】
0005124626.tif 000014
【図１４】
0005124626.tif 000015